(57)【要約】【課題】組立作業を極めて容易にすることができ、光軸方向の厚さを比較的薄くすることができ、しかも、後枠に対して前枠をスムーズに回転することができ、前枠が不用意に落下することを防止すること。【解決手段】カメラ用フィルターを組み立てる際には、前枠１と後枠２とを相互に近付けて、前枠１の永久磁石５を後枠２の永久磁石６に吸着する。この時、前枠１の凸部８は、後枠２の切欠き部９を通過させて後枠２の環状凹溝７に導く。この状態においては、前枠１は、磁気吸着力のみにより後枠２に取り付いている。次いで、前枠１を回転させると、前枠１は、その凸部８が後枠２の環状凹溝７に回転可能に係合している状態になる。そのため、前枠１は、後枠２に対して自由に回転することができると共に、後枠２から不用意に落下することがない。【選択図】  図３
2004264555.tif 000002
【特許請求の範囲】
【請求項１】
カメラのレンズに着脱自在に装着する後枠に、光学部材を保持した前枠を回転可能に組み合わせたカメラ用フィルターにおいて、
前記前枠と前記後枠との対向面に、夫々、少なくとも一対の磁気吸着体が設けてあり、
前記後枠に、光軸に略垂直な方向の内方に向けて開口した環状凹溝が形成してあると共に、前記前枠に、光軸に略垂直な方向の外方に向けて突出して当該環状凹溝に回転可能に係合する少なくとも１個の凸部が形成してあり、
前記後枠には、前記後枠に前記前枠を装着する際、前記前枠の凸部を通過させて前記環状凹溝に導く少なくとも１個の切欠き部が形成してあり、該切欠き部で前記磁気吸着体が対向することを特徴とするカメラ用フィルター。
【請求項２】
前記一対の磁気吸着体のうち一方は、永久磁石であり、他方は、永久磁石又は磁性体であることを特徴とする請求項１に記載のカメラ用フィルター。
【請求項３】
前記一対の磁気吸着体は、３対設けてあり、
前記前枠の凸部と前記後枠の切欠き部とは、夫々、３個設けてあることを特徴とする請求項１又は２に記載のカメラ用フィルター。
【発明の詳細な説明】
【０００１】
【発明の属する技術分野】
本発明は、カメラのレンズに着脱自在に装着する後枠に、偏光フィルター等のフィルターを保持した前枠を回転可能に組み合わせたカメラ用フィルターに関する。
【０００２】
【従来の技術】
カメラ用フィルター、特に、偏光フィルターは、カメラのレンズの先端に取付け、カメラのレンズに対して、偏光フィルターを回転させて使用するものであり、所定の撮影効果を得ることができ、カメラ用フィルターの中でも、使用頻度が比較的高いフィルターである。
【０００３】
この偏光フィルターは、偏光フィルターを保持して固定する前枠と、カメラのレンズに螺合により着脱自在に装着する後枠とからなる。前枠は、後枠に対して、回転可能に組合せてある。
【０００４】
従来の偏光フィルターにおいては、前枠と後枠との対向面に夫々形成した環状周溝内に、抜け止め用ワッシャーが介装してあり、これにより、前枠が後枠に対して回転可能に組み合わせてある。
【０００５】
また、特許文献１及び特許文献２においては、前枠と後枠との対向面に、夫々、一対の永久磁石が設けてあり、これら一対の永久磁石の磁気吸着力により、前枠が後枠に係止してある。
【０００６】
【特許文献１】
実開昭５８−９８６２４号公報
【特許文献２】
実開平７−１４３４号公報
【０００７】
【発明が解決しようとする課題】
しかしながら、抜け止め用ワッシャーを用いる従来の偏光フィルターにあっては、前枠と後枠の環状周溝に介装する抜止め用ワッシャーには、大きさと組み立て方法に制約があり、組立作業が煩雑であるといったことがある。
【０００８】
また、偏光フィルターにおいては、前枠は、光軸を中心に回転する構造にする必要があり、フィルター枠（前枠と後枠）の光軸方向の厚さは、他の種類のフィルターより比較的厚く、前枠がカメラのレンズに入射する有効な光線を遮ることがあり、写真に不要なケラレが生じる虞れがある。
【０００９】
一方、特許文献１及び２に開示した永久磁石を用いる偏光フィルターにおいては、フィルター枠の薄肉化の面で優れている。しかし、前枠と後枠の一対の永久磁石が互いに吸着しているため、カメラレンズに固定した後枠に対して、前枠を回転する際、回転操作をスムーズに行えないといったことがある。また、振動等によって、前枠が不用意に落下するといった虞れもある。
【００１０】
本発明は、上述したような事情に鑑みてなされたものであって、製造コストの高騰を招来することなく、組立作業を極めて容易にすることができ、光軸方向の厚さを比較的薄くすることができ、しかも、後枠に対して前枠をスムーズに回転することができ、前枠が不用意に落下することもないカメラ用フィルターを提供することにある。
【００１１】
【課題を解決するための手段】
上記の目的を達成するため、本発明の請求項１に係るカメラ用フィルターは、カメラのレンズに着脱自在に装着する後枠に、光学部材を保持した前枠を回転可能に組み合わせたカメラ用フィルターにおいて、
前記前枠と前記後枠との対向面に、夫々、少なくとも一対の磁気吸着体が設けてあり、
前記後枠に、光軸に略垂直な方向の内方に向けて開口した環状凹溝が形成してあると共に、前記前枠に、光軸に略垂直な方向の外方に向けて突出して当該環状凹溝に回転可能に係合する少なくとも１個の凸部が形成してあり、
前記後枠には、前記後枠に前記前枠を装着する際、前記前枠の凸部を通過させて前記環状凹溝に導く少なくとも１個の切欠き部が形成してあり、該切欠き部で前記磁気吸着体が対向することを特徴とする。
【００１２】
また、請求項２に係るカメラ用フィルターは、請求項１において、前記一対の磁気吸着体のうち一方は、永久磁石であり、他方は、永久磁石又は磁性体であることを特徴とする。
【００１３】
さらに、請求項３に係るカメラ用フィルターは、請求項１又は２において、前記一対の磁気吸着体は、３対設けてあり、
前記前枠の凸部と前記後枠の切欠き部とは、夫々、３個設けてあることを特徴とする。
【００１４】
【発明の実施の形態】
以下、本発明の実施の形態に係るカメラ用フィルターを図面を参照しつつ説明する。
【００１５】
図１は、本発明の実施の形態に係るカメラ用偏光フィルターの分解斜視図である。図２は、図１に示した偏光フィルターを組合せた状態の断面図である。
【００１６】
図３は、図２の拡大断面図であって、前枠の永久磁石と後枠の永久磁石が吸着している状態を示す。
【００１７】
図４は、図１に示した偏光フィルターを組合せた状態の拡大断面図であって、前枠を後枠に対して回転させて、前枠の凸部が後枠の環状凹溝に係合している状態を示す。
【００１８】
図５（ａ）は、前枠の永久磁石と後枠の永久磁石が吸着している状態を示す図であり、（ｂ）は、（ａ）の状態に対して、前枠と後枠を１８０度相対回転させた状態を示す図である。
【００１９】
図１及び図２に示すように、カメラ用偏光フィルターは、前枠１と、後枠２と、前枠１の内周面に固定した偏光フィルター３とからなる。
【００２０】
前枠１は、偏光フィルター３を保持している小径筒部１ａと、これより径の大きい中径筒部１ｂと、これより径が大きく、撮影時に撮影者が前枠１を回転操作する際の操作部となる大径筒部１ｃとからなる。
【００２１】
後枠２は、小径筒部２ａと、これより径が大きく、外周面にカメラの撮影レンズ（図示略）に装着するためのネジ部４が形成してある中径筒部２ｂと、これより径が大きく、カメラの撮影レンズ（図示略）への装着時に撮影者が螺合の操作をする大径筒部２ｃとからなる。
【００２２】
図３に示すように、本実施の形態では、前枠１の中径筒部１ｂの背面側には、永久磁石５が設けてあり、これに対向するように、後枠２の中径筒部２ｂの前面側には、永久磁石６が設けてある。
【００２３】
これら永久磁石５，６は、フィルム状の永久磁石であって、その厚みは、比較的薄いものである。また、これら永久磁石５，６の２個ともに永久磁石である必要がなく、いずれか一方が鉄等の磁性体であってもよい。少なくとも磁気吸着力により、前枠１と後枠２が結合できればよい。
【００２４】
また、本例では、これら一対の永久磁石５，６は、それぞれ、３個ずつ設けてあり、周方向には、図１及び図５（ａ）に示すように、１２０度間隔であって、周方向に均等に配している。永久磁石５，６の個数は、後述するように、これに限定されるものではなく、少なくとも１対備えていればよい。
【００２５】
図３及び図４に示すように、後枠２の大径筒部２ｃには、光軸に略垂直な方向の内方に向けて開口した環状凹溝７が形成してある。この環状凹溝７は、後枠２の全周にわたって形成してある。
【００２６】
一方、前枠１の中径筒部１ｂの外周面には、光軸に略垂直な方向の外方に向けて突出して環状凹溝７に回転可能に係合する凸部８が形成してある。
【００２７】
また、後枠２の大径筒部２ｃには、環状凹溝７に隣接して、後枠２に前枠１を装着する際、前枠１の凸部８を通過させて環状凹溝７に導く切欠き部９が形成してある。
【００２８】
本例では、凸部８と、切欠き部９とは、それぞれ、３個ずつ設けてあり、周方向には、図１及び図５（ａ）に示すように、１２０度間隔であって、周方向に均等に配してあり、一対の永久磁石５，６とは、光軸廻りの同じ角度の位置に配置してある。但し、凸部８及び切欠き部９は、必ずしも、一対の永久磁石５，６と、光軸廻りの同じ角度の位置に配置する必要はない。また、凸部８及び切欠き部９の個数は、後述するように、これに限定されるものではなく、少なくとも１個備えていればよい。
【００２９】
以上のように構成したカメラ用偏光フィルターを組み立てる際には、前枠１と後枠２とを相互に近付けて、図３に示すように、前枠１の永久磁石５を後枠２の永久磁石６に吸着する。この時、前枠１の凸部８は、後枠２の切欠き部９を通過させて後枠２の環状凹溝７に導く。この状態においては、前枠１は、磁気吸着力のみにより後枠２に取り付いている。
【００３０】
次いで、前枠１を回転させると、図４に示すように、前枠１は、その凸部８が後枠２の環状凹溝７に回転可能に係合している状態になる。そのため、前枠１は、後枠２に対して自由に回転することができると共に、後枠２から不用意に落下することがない。
【００３１】
また、従来の抜止め用ワッシャーを用いずに、一対の永久磁石５，６を用いていることから、光軸方向の厚さを比較的薄くすることができる。これにより、カメラのレンズ（図示略）に入射する有効な光線のケラレを減少することができる。
【００３２】
さらに、上記のように、組合せに際しては、従来の抜止め用ワッシャーを用いる必要がなく、磁気吸着力により極めて容易に組み立てることができ、製造コストの高騰を招来するといったことがない。
【００３３】
上記のように、本実施の形態では、前枠１を後枠２に対して取り付けまたは取り外しを簡単に行うことができる。また、取り付け直後は、両枠が永久磁石５，６で吸着されているため、容易に落下することはなく、また、その状態から、前枠１の凸部８を光軸を中心に回転させ、図４に示すように、後枠２の環状凹溝７内に組み込まれることで、前枠１が後枠２に対して落下することを完全に防ぐことができる。
【００３４】
また、従来のように、前枠１と後枠２を回転可能に組み合わせるための抜止め用ワッシャーを必要としないため、前枠１と後枠２を組み合わせ易くするために必要な枠の形状、例えば面取り等や抜止め用ワッシャーの厚さを考慮してそのワッシャーを介装するためのスペース、例えば環状凹溝等を設ける肉厚寸法の制約を省くことができる。
【００３５】
従って、前枠１または後枠２の光軸方向の厚さを従来の偏光フィルターより薄くすることができ、カメラのレンズ（図示略）に入射する有効な光線のケラレを減少させることができる。
【００３６】
さらに、実際撮影時に、本実施の形態に係る偏光フィルター１を使用する時は、前枠１をカメラのレンズ（図示略）の先端部に固定されている後枠２に対して回転させ、偏光効果があらわれた回転角度において、前枠１をそのままの状態にしておきながら、撮影に取り掛かることになる。
【００３７】
この回転する際に、図５（ａ）のような前枠１と後枠２が前枠１の永久磁石５と後枠２の永久磁石６により吸着された状態で、前枠１を後枠２に対して回転せる時は、永久磁石５，６の吸着力に逆らって回転させると、前枠１の永久磁石５と後枠２の永久磁石６の吸着面積がゼロになり、その状態から続けて回転させていくと、回転操作がスムーズに行えるように永久磁石５，６を配置している。この前枠１の永久磁石５と後枠２の永久磁石６が吸着されているかいないかは、手の感覚で感じ取れるものでもある。
【００３８】
さらに、撮影時に、前枠１を後枠２に対して回転させた時、丁度前枠１の回転角度が後枠２に対して、図５（ａ）のような前枠１と後枠２を取り付ける際の前枠１の永久磁石５と後枠２の永久磁石６が吸着している状態の角度位置にあるときは、そのまま撮影を続行すると、振動や衝撃等の外力が加わった場合、前枠１が外力の影響で落下する可能性がある。
【００３９】
ここで、偏光フィルターには、前枠１に固設されている偏光フィルター３が１８０度回転しても、元の状態と同じ偏光効果を発揮する特徴がある。そのため、上述したように図５（ａ）のような前枠１が落下する恐れのある角度に位置した場合つまり回転操作が急に重くなった時は、図５（ｂ）に示す状態のように、図５（ａ）の状態から前枠１を後枠２に対して１８０度回転させて使用すれば、元の状態と同じ偏光効果を確保しつつ、且つ、落下を防ぎながら使用することができる。
【００４０】
以上に説明したように、本実施の形態に係るカメラ用偏光フィルターによれば、偏光フィルター３を固設するための前枠１とカメラのレンズ（図示略）先端部に螺合するためのネジ部４を後端側に有する後枠２からなる偏光フィルター枠において、従来これら前枠と後枠とを回転可能に組み合わせるために抜止め用ワッシャーを使用していたが、前枠１と後枠２に永久磁石５，６を使用することで、抜止め用ワッシャーの大きさや組み込み易さを考慮した肉厚寸法の制約を省くことができ、前枠１または後枠２の光軸方向に対する厚さを薄くすることができる。
【００４１】
また、前枠１には、凸部８を、後枠２には、環状凹溝７と切欠き部８を設け、前枠１と後枠２とを回転可能に組み合わさるような形状にし、さらには、永久磁石５，６を、前枠１がスムーズに回転できると共に振動や衝撃による外力に対する落下を防止するように配置にしたので、従来の偏光フィルターの回転操作性や組み立て性等を同等に保ちつつも、よりコンパクトな形状であり、従来問題であったフィルター枠によるカメラのレンズ（図示略）に入射する有効な光線の遮断を減少し、より美しい仕上がりの写真を撮影することができる。
【００４２】
なお、本発明は、上述した実施の形態に限定されず、種々変形可能である。例えば、各部の形状、構造等を、適宜変形、変更することは自由であり、種々の変形例が考えられる。
【００４３】
具体的には、上述した実施の形態では、永久磁石５，６の配置を円周等分等間隔に３個配置している例を用いたが、必要且つ充分な吸着力、また、スムーズな回転操作が得られれば、これに限定されないことは言うまでもない。
【００４４】
また、前枠１の凸部８と後枠２の切欠き部９においても、実施の形態では、円周等分等間隔に３個に配置した場合を例示したが、落下しにくい配置、落下に耐える強度を持てば、これに限定されることもない。
【００４５】
さらに、フィルターは、偏光フィルターに限定されず、クロスフィルター等のように、他のフィルターであってもよい。
【００４６】
【発明の効果】
以上説明したように、本発明によれば、前枠と後枠とを組み合わせる際には、前枠の一方の磁気吸着体を後枠の他方の磁気吸着体に吸着する。この時、前枠の凸部は、後枠の切欠き部を通過させて後枠の環状凹溝に導く。この状態においては、前枠は、磁気吸着力のみにより後枠に取り付いている。
【００４７】
次いで、前枠を回転させると、前枠は、その凸部が後枠の環状凹溝に係合している状態になる。そのため、前枠は、後枠に対して自由に回転することができると共に、後枠から不用意に落下することがない。
【００４８】
また、従来の抜止め用ワッシャーを用いずに、一対の磁気吸着体を用いていることから、光軸方向の厚さを比較的薄くすることができる。これにより、カメラのレンズに入射する有効な光線のケラレを減少することができる。
【００４９】
さらに、上記のように、組合せに際しては、従来の抜止め用ワッシャーを用いる必要がなく、磁気吸着力により極めて容易に組み立てることができ、製造コストの高騰を招来するといったことがない。
【図面の簡単な説明】
【図１】本発明の実施の形態に係るカメラ用偏光フィルターの分解斜視図である。
【図２】図１に示した偏光フィルターを組合せた状態の断面図である。
【図３】図２の拡大断面図であって、前枠の永久磁石と後枠の永久磁石が吸着している状態を示す。
【図４】図１に示した偏光フィルターを組合せた状態の拡大断面図であって、前枠を後枠に対して回転させて、前枠の凸部が後枠の環状凹溝に係合している状態を示す。
【図５】（ａ）は、前枠の永久磁石と後枠の永久磁石が吸着している状態を示す図であり、（ｂ）は、（ａ）の状態に対して、前枠と後枠を１８０度相対回転させた状態を示す図である。
【符号の説明】
１  前枠
１ａ  小径筒部
１ｂ  中径筒部
１ｃ  大径筒部
２  後枠
２ａ  小径筒部
２ｂ  中径筒部
２ｃ  大径筒部
３  偏光フィルター（フィルター）
４  ネジ部
５，６  永久磁石（磁気吸着体）
７  環状凹溝
８  凸部
９  切欠き部
【図１】
2004264555.tif 000003
【図２】
2004264555.tif 000004
【図３】
2004264555.tif 000005
【図４】
2004264555.tif 000006
【図５】
2004264555.tif 000007